(57)【要約】【課題】文献などの記載に印を付すことができ、かつ従来の粘着メモと同様に再粘着、再剥離が可能な蛍光粘着フィルムであって、使用に便利なホルダーに収納されたホルダー入り蛍光粘着フィルムを提供する。【解決手段】赤、橙、黄色、緑色、もしくは青色などの蛍光色を有する透過性のフィルムであって、かつ粘着材を塗布した蛍光粘着フィルムを複数枚重ねて束とし、底面となる板体の両端縁が折り返されて該板の中心に向かって延伸し、上面に開口を有する収納部が形成される内ホルダーと、及び該内ホルダーとほぼ同様の形状を呈し、該内ホルダーが嵌着できるように寸法を該内ホルダーよりやや大きくした収納部を形成した外ホルダーとによってなるホルダー内に該蛍光粘着フィルムの束を設ける。【選択図】  図１
2008168453.tif 000002
【特許請求の範囲】
【請求項１】
内ホルダーと、外ホルダーとによってなるホルダーに収納した蛍光粘着フィルムであって、
該蛍光粘着フィルムは赤、橙、黄色、緑色、もしくは青色などの蛍光色を有する透過性のフィルムであって、かつ粘着材を塗布した蛍光粘着フィルムを複数重ねてなり、
該内ホルダーは、底面となる板体の両端縁が折り返されて該板の中心に向かって延伸し、上面に開口を有する収納部が形成され、該収納部に該蛍光粘着フィルム束を複数収納し、
該外ホルダーは、該内ホルダーとほぼ同様の形状を呈し、該内ホルダーが嵌着できるように寸法を該内ホルダーよりやや大きくした収納部を形成することを特徴とするホルダー入り蛍光粘着フィルム。
【請求項２】
ホルダーに収納した蛍光粘着フィルムであって、
該蛍光粘着フィルムは赤、橙、黄色、緑色、もしくは青色などの蛍光色を有する透過性のフィルムであって、かつ粘着材を塗布した蛍光粘着フィルムを複数重ねてなり、
該ホルダーは、底面となる板体の両端縁が折り返されて該板の中心に向かって延伸し、上面に開口を有する収納部が形成され、該収納部に該蛍光粘着フィルム束を複数収納し、かつ該フィルム束を並べて設ける方向の対向する両端に、円形孔を穿設した第１支持耳と、円形孔及び楕円孔を形成した第２支持耳とをそれぞれ設けることを特徴とするホルダー入り蛍光粘着フィルム。
【請求項３】
前記外ホルダーと内ホルダーがそれぞれ異なる色彩を有し、かつ該蛍光粘着フィルムの色と鮮明なコントラストを形成することを特徴とする請求項１に記載のホルダー入り蛍光粘着フィルム。
【請求項４】
前記蛍光粘着フィルムは、底面の一端に粘着層を形成し、該粘着層を介して次の蛍光粘着フィルムに粘着して連結し、かつ下方に位置する次の蛍光粘着フィルムとは、底面に形成する該粘着層の位置が互い違いになることを特徴とする請求項１、もしくは請求項２に記載のホルダー入り蛍光粘着フィルム。
【請求項５】
前記蛍光粘着フィルムは、表面に識別用の簡易な印を印刷することを特徴とする請求項１、もしくは請求項２に記載のホルダー入り蛍光粘着フィルム。
【発明の詳細な説明】
【技術分野】
【０００１】
この発明は、蛍光マーカーの代替とすることができ、再粘着、再剥離可能な蛍光粘着フィルムに関し、特に該蛍光粘着フィルムを収納するホルダーに収納されたホルダー入り蛍光粘着フィルムに関する。
【背景技術】
【０００２】
付箋、メモ用紙などに粘着材を塗布した商品（以下粘着メモと称する）は、この数年来、実用的な商品として普及している。小片の紙の一方の面において、一端に液義な粘着性を有する特殊な粘着材を塗布してなり、該小片の紙を対象物に貼った後、これを剥がした場合、対象物の表面に粘着材が残留しない。
【０００３】
このため、係る粘着メモを利用してメッセージを伝えた場合、該メッセージを受ける側は、メッセージの書かれた粘着メモを剥がして利用することができる。この際、口頭でメッセージが残されているか確認する必要がなく、便利である。
【０００４】
このように、各分野でメモの重要性が認識され、粘着メモの便利さが分かるにつれて、その利便性から一般の生活の中にまで広く普及し、欠くことのできない日常用品となっている。
【０００５】
但し、従来のメモ用紙を収納するホルダーの構造と、その外観は、長期にわたり変化を加えられることがなく今日に至るため、パターン化し、なんら創意も見られない。
よって、商品として市場における競争能力に欠け、利益の率の低下に繋がっている。
【０００６】
また、粘着メモは、メッセージの伝達以外に、文献を閲読する場合に註釈などを書く目的で使用されることもある。同様に文献を閲読する場合、重要な箇所に印を付けておく場合には、通常、蛍光マーカーと称するペンを利用し、各種異なる色を文字の上に付したり、アンダーラインを引いたりする。
【０００７】
但し、蛍光マーカーは、一部の特殊な材質に用いることができない。また、文献によっては、蛍光マーカーなどで印を付けることができない場合もある。よって、蛍光マーカーは、使用上制限を受ける場合が多い。さらには、同一の文献上に、何種類もの色の線で印を付けた場合、却って閲読上邪魔になり、甚だしくは雑然とした感じがする。
【発明の開示】
【発明が解決しようとする課題】
【０００８】
上述する蛍光マーカーの印を付ける機能と、粘着メモの利便性とを兼ね具える商品があれば、上述する種々の欠点を解決することができる。
【０００９】
そこで、この発明は蛍光マーカーの代替とすることができ、粘着メモの利便性を具えるり蛍光粘着フィルム、即ち従来のマーカーと同様に、文献などの記載に印を付すことができ、かつ従来の粘着メモと同様に再粘着、再剥離が可能な蛍光粘着フィルムであって、使用に便利なホルダーに収納された蛍光粘着フィルムを提供することを課題とする。
【課題を解決するための手段】
【００１０】
本発明者は、従来の技術に見られる欠点に鑑み鋭意研究を重ねた結果、赤、橙、黄色、緑色、もしくは青色などの蛍光色を有する透過性のフィルムであって、かつ粘着材を塗布した蛍光粘着フィルムによって課題を解決できる点に着眼し、さらに、係る蛍光粘着フィルムを使用に便利なホルダーに収納することによって、利便性と実用性が得られることを想到し、かかる知見に基づいて本発明を完成させた。
【００１１】
以下、この発明について具体的に説明する。
請求項１に記載するホルダー入り蛍光粘着フィルムは、内ホルダーと、外ホルダーとによってなるホルダーに収納した蛍光粘着フィルムであって、該蛍光粘着フィルムは赤、橙、黄色、緑色、もしくは青色などの蛍光色を有する透過性のフィルムであって、かつ粘着材を塗布した蛍光粘着フィルムを複数重ねてなり、該内ホルダーは、底面となる板体の両端縁が折り返されて該板の中心に向かって延伸し、上面に開口を有する収納部が形成され、該収納部に該蛍光粘着フィルム束を複数収納し、該外ホルダーは、該内ホルダーとほぼ同様の形状を呈し、該内ホルダーが嵌着できるように寸法を該内ホルダーよりやや大きくした収納部を形成する。
【００１２】
請求項２に記載するホルダー入り蛍光粘着フィルムは、ホルダーに収納した蛍光粘着フィルムであって、赤、橙、黄色、緑色、もしくは青色などの蛍光色を有する透過性のフィルムであって、かつ粘着材を塗布した蛍光粘着フィルムを複数重ねてなり、該ホルダーは、底面となる板体の両端縁が折り返されて該板の中心に向かって延伸し、上面に開口を有する収納部が形成され、該収納部に該蛍光粘着フィルム束を複数収納し、かつ該フィルム束を並べて設ける方向の対向する両端に、円形孔を穿設した第１支持耳と、円形孔及び楕円孔を形成した第２支持耳とをそれぞれ設ける。
【００１３】
請求項３に記載するホルダー入り蛍光粘着フィルムは、請求項１における外ホルダーと内ホルダーがそれぞれ異なる色彩を有し、かつ該蛍光粘着フィルムの色と鮮明なコントラストを形成する。
【００１４】
請求項４に記載するホルダー入り蛍光粘着フィルは、請求項１、もしくは請求項２における蛍光粘着フィルムが、底面の一端に粘着層を形成し、該粘着層を介して次の蛍光粘着フィルムに粘着して連結し、かつ下方に位置する次の蛍光粘着フィルムとは、底面に形成する該粘着層の位置が互い違いになる。
【００１５】
請求項５に記載するホルダー入り蛍光粘着フィルムは、請求項１、もしくは請求項２における蛍光粘着フィルムの表面に識別用の簡易な印を印刷する。
【発明の効果】
【００１６】
この発明による蛍光粘着フィルムは、従来のマーカーと同様に、文献などの記載に印を付すことができ、かつ従来の粘着メモと同様に再粘着、再剥離が可能なため、文献などの紙面を汚損することなく印を付けることができ、また、インデックスなどの識別標示に広く利用でき、好ましい実用性と応用性を具える。
【００１７】
また、この発明による蛍光粘着フィルムは、本発明におけるホルダーに収納することによって、使用上さらに便利になるとともに、該ホルダーと蛍光粘着フィルムとが鮮やかな色彩を有し、コントラストを形成するため、視覚上の美観を生じ、商品としての付加価値を高めるという利点を有する。
【発明を実施するための最良の形態】
【００１８】
この発明は、従来のマーカーと同様に、文献などの記載に印を付すことができ、かつ従来の粘着メモと同様に再粘着、再剥離が可能な蛍光粘着フィルムであって、使用に便利なホルダーに収納された蛍光粘着フィルムを提供するものであって、該蛍光粘着フィルムは、赤、橙、黄色、緑色、もしくは青色などの蛍光色を有する透過性のフィルムであって、かつ粘着材を塗布する。係る蛍光粘着フィルムを複数枚重ねて束としてホルダー内に設ける。該ホルダーは、底面となる板体の両端縁が折り返されて該板の中心に向かって延伸し、上面に開口を有する収納部が形成される内ホルダーと、及び該内ホルダーとほぼ同様の形状を呈し、該内ホルダーが嵌着できるように寸法を該内ホルダーよりやや大きくした収納部を形成した外ホルダーとによってなる。
かかるホルダー入り蛍光粘着フィルムの特徴を詳述するために、具体的な実施例を挙げ、図示を参照にして以下に説明する。
【実施例】
【００１９】
この発明によるホルダー入り蛍光粘着フィルムは蛍光色を有する透過性のフィルムであって、一方の面に粘着層を形成し、再粘着、再剥離可能にすることによって、蛍光マーカーの代替とすることができる。
【００２０】
図１、２に開示するように、フィルム束１を、内ホルダー２と、外ホルダー３とによってなるホルダーに収納する。
【００２１】
フィルム束１は、粘着材を塗布した透過性の蛍光粘着フィルム１０を複数重ねてなり、蛍光粘着フィルム１０は、赤、橙、黄色、緑色、もしくは青色などの蛍光色を有するフィルムである。蛍光粘着フィルム１０をこのような色にすることは、商品の外観に美的効果を与えることにもなる。また、蛍光粘着フィルム１０に矢印などの簡易な識別用の印を印刷してもよい。この場合、異なる文献に使用することを識別するために便利であり、蛍光マーカーの代替として使用する場合に、その商品としての付加価値を高めることができる。
【００２２】
また、図１に開示するように、それぞれの蛍光粘着フィルム１０は、いずれも底面の一端に粘着層１１を形成し、粘着層１１を介して次の蛍光粘着フィルム１０に粘着して連結する。この場合、下方に位置する次の蛍光粘着フィルム１０とは、底面に形成する粘着層１１の位置が互い違いになる。即ち、上の蛍光粘着フィルム１０が底面の左端に粘着層１１を形成するのであれば、下の蛍光粘着フィルム１０は右端に粘着層１１を形成する。同様に、上の蛍光粘着フィルム１０の底面の右端に粘着層が形成されれば、下の蛍光粘着フィルム１０の底面は、底面の左端に粘着層を形成する。
【００２３】
内ホルダー２は、底面となる板体の両端縁が折り返されて該板の中心に向かって延伸し、上面に開口を有する収納部２１が形成される。該収納部２１に複数の蛍光粘着フィルム束１を収納する。
【００２４】
外ホルダー３は、内ホルダー２とほぼ同様の形状を呈し、収納部３１が形成される。収納部３１は、内ホルダー２が嵌着できるように寸法を内ホルダー２よりやや大きくする。外ホルダー３と内ホルダー２は、好ましくはそれぞれ異なる色にして、フィルム束１と色彩の鮮やかなコントラストをなすように構成する。
【００２５】
上述するそれぞれの部材を実際に組み立てる場合は、蛍光粘着フィルム１０を重ねてなるフィルム束１を内ホルダー２に設ける。即ち、それぞれ異なる色の複数のフィルム束１を内ホルダー２の収納部２１に並べて接着する。この場合、それぞれのフィルム束１は、蛍光粘着フィルム１０の最上の１枚の自由端が収納２１の開口から外部に露出するように設ける。よって、フィルム束１を設けた内ホルダー２を外ホルダー３に嵌着した場合、蛍光粘着フィルム１０の最上の１枚の自由端が外ホルダー３の表面に露出する。
【００２６】
この発明によるホルダー入り蛍光粘着フィルムを使用する場合は、それぞれ異なる色のフィルム束１を具えるため、必要に応じて、または使用者の好みによって適宜な色を選択し、蛍光粘着フィルム１０の最上の１枚を剥がして使用する。特に、蛍光マーカーで印を付けたり、筆記具で書き込みすることが禁止された重要な文献に印を付けたい場合、この発明の蛍光粘着フィルム１０を貼ることによって蛍光マーカーの代替とすることができ、マーカーなどによる汚損が発生しない。また、文献に粘着させた蛍光粘着フィルム１０を剥がした場合、該文献は本来の状態に戻る。よって、使用上便利で実用的である。
【００２７】
図３は、フィルム束１を構成する蛍光粘着フィルム１０のを取り出す場合の動作を開示する。蛍光粘着フィルム束１において、重なり合う上下の蛍光粘着フィルム１０の粘着層１１は、それぞれの位置が互い違いになるように形成される。よって、最上の蛍光粘着フィルム１０を剥がすと、その下に位置する蛍光粘着フィルム１０の自由端が上方に引っ張られてポップアップし、外ホルダー３の表面に露出する。係る動作を蛍光粘着フィルム１０が全て無くなるまで繰り返す。
【００２８】
この発明の蛍光粘着フィルム束１を収納する内ホルダー２は、上述するように外ホルダー３に嵌着するが、但し、図４、図５に開示する形態にして単独で用いてもよい。
【００２９】
図面によれば、内ホルダー２のフィルム束１を並べて設ける方向の対向する両端には、円形孔２２１を穿設した第１支持耳２２と、円形孔２３１及び楕円孔２３２を形成した第２支持耳２３とをそれぞれ設ける。また、内ホルダー２の上面であって、収納部２１の開口の対向する両端縁部（または、外ホルダー３の収納部３１の開口の対向する両端縁部）には、収納部２１に設けるそれぞれのフィルム束１に対応する位置に突起２１１を形成する。
【００３０】
突起２１１は、内ホルダー２（または外ホルダー３）の外部に露出した蛍光粘着フィルム１０の自由端を支持し、蛍光粘着フィルム１０を剥がす動作の便宜を図る作用を有する。即ち、突起２１１を形成することによって、蛍光粘着フィルム１０の自由端がつまみやすくなり、また指先の触感だけで蛍光粘着フィルム１０の自由端の位置を判断してつまむことができる。さらに、最上の蛍光粘着フィルム１０をつまんだつもりが、連結する複数枚の蛍光粘着フィルム１０をまとめてつまんで剥がしてしまうような状況も発生しない。
【００３１】
上述する実施形態のホルダーを使用する場合は、図６から図９に開示するように、第１支持耳２２の円形孔２２１か、或いは第２支持耳２３の円形孔２３１と長方形の孔２３２とに携帯する手帳や、バインダーノートのリングを挿通させて支持する。このように、この発明のホルダー入り蛍光粘着フィルムと、手帳、ノートなどとを連結させることによって、必要に応じて随時蛍光粘着フィルム１を取り出すことができ、便利で実用的である。
させて位置決めして設けることができる。よって、必要な場合に蛍光粘着フィルム１０をすぐに使用することができるため便利で実用的である。
【００３２】
以上は、この発明の好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【図面の簡単な説明】
【００３３】
【図１】この発明におけるホルダーと蛍光粘着フィルムの関係を示した説明図である。
【図２】図１に開示する蛍光粘着フィルムをホルダーに設けた状態を示した斜視図である。
【図３】この発明において蛍光粘着フィルムを取り出す場合の動作を示した説明図である。
【図４】この発明におけるホルダーの他の実施形態を示した説明図である。
【図５】図４に開示するホルダーに蛍光粘着フィルム設けた状態を示した斜視図である。
【図６】図５に開示するホルダー入り蛍光粘着フィルムの使用態様を示した説明図である。
【図７】図５に開示するホルダー入り蛍光粘着フィルムの他の使用態様を示した説明図である。
【図８】図５に開示するホルダー入り蛍光粘着フィルムのその他使用態様を示した説明図である。
【図９】図５に開示するホルダー入り蛍光粘着フィルムの別の使用態様を示した説明図である。
【符号の説明】
【００３４】
１          フィルム束
１０        蛍光粘着フィルム
１１        粘着層
２          内ホルダー
２１        収納部
２１１      突起
２２        第１支持耳
２２１      円形孔
２３        第２支持耳
２３１      円形孔
２３２      楕円孔
３          外ホルダー
３１        収納部
【図１】
2008168453.tif 000003
【図２】
2008168453.tif 000004
【図３】
2008168453.tif 000005
【図４】
2008168453.tif 000006
【図５】
2008168453.tif 000007
【図６】
2008168453.tif 000008
【図７】
2008168453.tif 000009
【図８】
2008168453.tif 000010
【図９】
2008168453.tif 000011